(57)【要約】      （修正有）【課題】構造が簡単で、カウンター上に跳ねた水等、滞留した水が速やかに浸透し、除去することのできる透水性に優れたキッチンカウンターを提供する。【解決手段】キッチンカウンターのカウンター本体１を多孔質透水性材料で形成し、該カウンター本体１の下方に空気流通部２を設け、カウンター前面には該空気流通部２へ空気を入れる空気流入口３を設けるとともに、カウンター後面には上記カウンター本体１の上面から下面に浸透した水を空気と共に排出する排気口４が設けられた透水性キッチンカウンターＢ。好ましくは、上記空気流通部には強制排気用の排気ファンＦが設けられる。【選択図】図２
2008023156.tif 000002
【特許請求の範囲】
【請求項１】
キッチンカウンターのカウンター本体を多孔質透水性材料で形成し、該カウンター本体の下方に空気流通部を設け、カウンター前面には該空気流通部へ空気を入れる空気流入口を設けるとともに、カウンター後面には上記カウンター本体の上面から下面に浸透した水を空気と共に排出する排気口が設けられた透水性キッチンカウンター。
【請求項２】
上記空気流通部には強制排気用の排気ファンが設けられた請求項１に記載の透水性キッチンカウンター。
【請求項３】
キッチンカウンターのカウンター本体を多孔質透水性材料で形成し、該カウンター本体の下面に吸水性樹脂を含む吸湿シートが当接、保持されてなる透水性キッチンカウンター。
【請求項４】
上記多孔質透水性材料が多孔質セラミックである請求項１または３に記載の透水性キッチンカウンター。
【発明の詳細な説明】
【技術分野】
【０００１】
本発明は、キッチンカウンターに関する。さらに詳しくは、キッチンカウンターの上に溜まった水を浸透させ除去する機能を持つ透水性キッチンカウンターの構造に関する。
【背景技術】
【０００２】
従来、キッチンに設けられるシンク回りのカウンターやキッチンカウンターは
天然もしくは人造の大理石、またはステンレス等水を通さない材質で構成され、カウンター下方の収納スペースに水が漏らないようにされていた。しかし、シンクで食器等を洗浄したときの跳ね水や食器洗浄後に食器から滴下する水がカウンター上に溜まり、滞留した水がカウンターの端部から流れ落ちて床を濡らすことがあるという問題点があった。また、カウンターに物を置く場合等、その度に滞留した水を拭き取らなければならず、煩わしいという問題点もあった。
【０００３】
このような問題点を解決するために下記特許文献１には、天板部分を水切り板と天板とから二重構造に構成し、天板の上方に水切り板を配置して水跳ね等によって水切り板の上に飛散した水が水切り板上に滞留することなく、速やかに排水されるように上記水切り板を透水性の材質で構成した水切り板付き流し台が提案されている。
【特許文献１】特開平５−７６４２７号公報（第１〜３頁、第１〜４図）
【発明の開示】
【発明が解決しようとする課題】
【０００４】
しかしながら、上記特許文献１に記載の水切り板付き流し台は、その第１図に示されているように、構造が複雑であり、製造工程も増えるため、コスト的に有利ではないという問題点がある。本発明はこのような問題点を解決して、構造が簡単で、カウンター上に跳ねた水等、滞留した水を速やかに浸透させるとともに、除去することのできる透水性に優れたキッチンカウンターを提供することをその課題とする。
【課題を解決するための手段】
【０００５】
上記課題を解決するために、本発明においては、つぎのような技術的手段を講じている。すなわち、請求項１に記載の第１発明によれば、キッチンカウンターのカウンター本体を多孔質透水性材料で形成し、該カウンター本体の下方に空気流通部を設け、カウンター前面には該空気流通部へ空気を入れる空気流入口を設けるとともに、カウンター後面には上記カウンター本体の上面から下面に浸透した水を空気と共に排出する排気口が設けられた透水性キッチンカウンターが提供される。
【０００６】
請求項２に記載の透水性キッチンカウンターは、請求項１に記載の発明に加えて、上記空気流通部に強制排気用の排気ファンを設けることが好ましい。上記排気ファンは、通常、カウンター後面に設けられた排気口を覆うように内設される。
【０００７】
請求項３に記載の第２発明によれば、キッチンカウンターのカウンター本体を多孔質透水性材料で形成し、該カウンター本体の下面に吸水性樹脂を含む吸湿シートが当接、保持されてなる透水性キッチンカウンターが提供される。上記吸水性樹脂としては、とくに限定されず、生理用ナプキン、紙おむつ、ペットシート等に既に使用されているでんぷん系、アクリル系等市販の吸水性樹脂が好適に用いられる。
【０００８】
請求項４に記載の透水性キッチンカウンターは、請求項１または３に記載の発明に加えて、上記多孔質透水性材料が多孔質セラミックであることが好ましい。多孔質セラミックとしては、例えば、セメント系基材を木粉と共に高温で焼成し、木粉の焼滅痕を無数の連続細孔として有するものが好ましく用いられる。
【発明の効果】
【０００９】
請求項１に記載の第１発明にかかる透水性キッチンカウンターは上記のとおりであり、多孔質透水性材料で形成されたカウンター本体の下方に空気流通部を設け、カウンター前面には該空気流通部へ空気を入れる空気流入口を設けるとともに、カウンター後面には排気口が設けられ、カウンター本体の上面に溜まった水が毛管現象によってカウンター本体の下面へ浸透し、空気流通部を流通する空気と共に自然換気により排気口から排出されるため、カウンター本体上におけるシンクから跳ね水や食器からの滴下水の滞留をなくすことができる。
【００１０】
請求項２に記載の透水性キッチンカウンターは上記のとおりであり、請求項１の透水性キッチンカウンターの有する効果に加え、上記空気流通部には強制排気用の排気ファンが内設されているため、流入空気量が増加し、カウンター本体の下面へ浸透した水の同伴量を増やして排気することができる。その結果、カウンター本体上に溜まった水をより速やかに浸透させ、蒸散させることができる。
【００１１】
請求項３に記載の第２発明にかかる透水性キッチンカウンターは上記のとおりであり、キッチンカウンターのカウンター本体を多孔質透水性材料で形成し、該カウンター本体の下面に吸水性樹脂を含む吸湿シートが当接、保持されてなるため、カウンター本体の上面から下面に到達した浸透水が吸水性樹脂に吸収され、カウンター本体上に水が滞留することを防ぐ。
【００１２】
また、吸収された水は、カウンター本体上に水がなく乾燥した状態で、吸水性樹脂から放出され、カウンター本体の下面から上面に逆に毛管現象によって上方に浸透し、蒸散する。このように、吸水性樹脂の水の吸収、放出の可逆的サイクルを利用することにより、カウンター本体上におけるシンクからの跳ね水や食器からの滴下水の滞留をなくすことができる。
【００１３】
請求項４に記載の透水性キッチンカウンターは上記のとおりであり、請求項１または３に記載の透水性キッチンカウンターの有する効果に加え、多孔質透水性材料を多孔質セラミックとすることにより、カウンター本体に無数の連続細孔が形成され、カウンター本体上面から下面への水の浸透性に優れた透水性キッチンカウンターを得ることができる。
【発明を実施するための最良の形態】
【００１４】
以下、本発明の実施形態について図面を参照して詳細に説明する。図１は、本願第１発明の第１実施形態にかかる透水性キッチンカウンターＡの概略構成を示す側断面図である。図１に示すように、キッチンカウンターの前面のエプロン部８と後部に立設されたバックガード９との間には多孔質透水性材料として、多孔質セラミックで形成されたカウンター本体１が設置され、カウンター本体１の下方は空気流通部２とされている。
【００１５】
この空気流通部２の下方は収納キャビネット５とされ、収納キャビネット５の天板５１によって収納キャビネット５と空気流通部２とは仕切られている。この天板５１は、万一漏水したときの防水板としても機能する。また、上記キッチンカウンターのエプロン部８には空気流入口３が、カウンター後面には排気口４がそれぞれ設けられ、図１に示すように、空気流入口３と排気口４とはガラリ構造とされている。
【００１６】
上記カウンター本体１は多孔質透水性材料である多孔質セラミックから構成されているため、カウンター本体１の上に跳ねた水や洗浄の済んだ食器から滴り落ちた水は、多孔質セラミック中に形成された微細な連続細孔中を毛管現象により浸透し、カウンター本体１の下面に到達する。一方、カウンター本体１の下方は空気流通部２とされ、空気流入口３から自然換気により流入した空気は図１の矢印に示す方向に流れてカウンター本体１の下面に到達した浸透水を同伴して排気口４から排気される。
【００１７】
上記のように空気流通部２を構成することによって、カウンター本体１の上に溜まった水は滞留することなく、カウンター本体１の上面から下面に浸透し、蒸散させ、排気することができる。その結果、滞留した水がカウンターの端部から流れ落ちて床を濡らしたり、カウンター本体１に物を置く場合等、その度に滞留した水を拭き取るという煩わしい作業をなくすことができる。
【００１８】
図２は、本願第１発明の第２実施形態にかかる透水性キッチンカウンターＢの概略構成を示す側断面図である。上記透水性キッチンカウンターＢにおいては、空気流通部２に排気ファンＦを排気口４を覆うように内設して強制排気を行う。上記強制排気により、空気流入口３から流入する空気量が増加し、カウンター本体１の下面に到達した浸透水の同伴量を増やして排気することができる。このように強制排気することによって、カウンター本体１の上に溜まった水をより速やかに浸透させ、蒸散させることができる。
【００１９】
図３は、本願第２発明にかかる透水性キッチンカウンターＣの概略構成を示す側断面図である。上記透水性キッチンカウンターＣにおいては、吸湿シート６がカウンター本体１の下面に保持手段７によって当接、保持して用いられる。上記吸湿シート６は、吸水性樹脂とパルプとの混合物を不織布でシート状に加工するとともに、ポリエチレンフィルム等非透水性フィルムでバッキングされてなり、カウンター本体１の下面に当接した不織布を通してカウンター本体１の上面から下面に到達した浸透水が吸水性樹脂に吸収される。
【００２０】
上記吸収された水は吸水性樹脂によって保持されるが、カウンター本体１の上に水がなく乾燥した状態では、逆に吸水性樹脂に保持された水がカウンター本体１の下面から上面に毛管現象によって上方に浸透し、蒸散する。すなわち、吸水性樹脂は水を可逆的に吸収し、放出するため、このサイクルを利用することによって、カウンター本体１の上におけるシンクからの跳ね水や食器からの滴下水の滞留をなくすことができる。
【００２１】
上記保持手段７は吸湿シート６をカウンター本体１の下面に当接、保持するが、この保持手段７を取り外し、また取り付けることにより、吸湿シート６の交換を行うことができる。すなわち、吸水性樹脂の吸水能力を超えた浸透水がカウンター本体１の下面に到達し、吸水能が飽和したり、水の吸収、放散を繰り返して吸水能が劣化した場合は、保持手段７を取り外して、吸湿シート６を取り替えることができる。このように、吸湿シート６は交換自在であるため、カウンター本体１の下面に到達する浸透水を連続して吸水することが可能であり、かくして、カウンター本体１の上におけるシンクからの跳ね水や食器からの滴下水の滞留をなくすことができる。
【図面の簡単な説明】
【００２２】
【図１】本願第１発明の第１実施例にかかる透水性キッチンカウンターの概略構成を示す側断面図である。
【図２】本願第１発明の第２実施例にかかる透水性キッチンカウンターの概略構成を示す側断面図である。
【図３】本願第２発明にかかる透水性キッチンカウンターの概略構成を示す側断面図である。
【符号の説明】
【００２３】
Ａ          本願第１発明の第１実施例にかかる透水性キッチンカウンター
Ｂ          本願第１発明の第２実施例にかかる透水性キッチンカウンター
Ｃ          本願第２発明にかかる透水性キッチンカウンター
Ｆ          排気ファン
１          カウンター本体
２          空気流通部
３          空気流入口
４          排気口
５          収納キャビネット
５１        天板
６          吸湿シート
７          保持手段
８          エプロン部
９          バックガード
【図１】
2008023156.tif 000003
【図２】
2008023156.tif 000004
【図３】
2008023156.tif 000005